(57)【要約】【課題】  ガラス窓１や枠体２の開閉を検知するパチンコ機のセンサ４を動作不良に細工して、ガラス窓１や枠体２を不正こじ開けた場合、その不正な行為を早期に発見可能とする。【解決手段】  解錠指令に従って解錠装置５が解錠操作を行い、ガラス窓１や枠体２のロックが解除されたら、解錠ランプ７を点灯させる前に、ガラス窓１或いは枠体２の開閉状態を検知するセンサ４からの信号を分析し、正常に動作しているか否かの確認を行い、正常であれば解錠ランプ７を点灯させるが、異常があれば解錠ランプ７は点灯させない。【選択図】    図１
2006006404.tif 000002
【特許請求の範囲】
【請求項１】
解錠装置に電動式が採用されており、解錠動作指令が発せられると解錠動作を実行し、その解錠動作が完了後に枠体の開閉状態を検知するセンサの信号を分析して正常に動作しているかの確認を行い、正常であれば解錠ランプを点灯させることを特徴とする遊技機。
【請求項２】
解錠装置に電動式が採用されており、解錠動作指令を発すると解錠動作とほぼ同時に解錠ランプを点灯し、解錠動作が完了後に枠体の開閉状態を検知するセンサからの信号を分析し、正常に動作しているかの確認を行い、異常があると判断された場合には報知手段を作動させることを特徴とする遊技機。
【発明の詳細な説明】
【技術分野】
【０００１】
本発明は、パチンコ機、スロットマシン、パチスロ機といったホールに設置される遊技機に関する。
【背景技術】
【０００２】
遊技機は、盤面を覆っているガラス窓や、盤面の周りを囲んでいる枠体が基枠に対してヒンジにより片開き可能に取り付けられており、前面より前記ガラス窓や枠体を開いて盤の表面や裏側のメカニズムが調整可能な構造になっている。
そしてそれらガラス窓や枠体は施錠装置によってロックされており、必要に応じて解錠装置を操作すれば、ロックを解除できるようになっている。
又ホールでは、特許文献１に記載のように、ガラス窓や枠体が開かれたことをチェックするためのセンサを装備し、解錠装置が不正に操作されていないかを解錠ランプの点灯によって監視するシステムも採用されている。
しかしながらそのようなシステムでは、センサをガラス窓や枠体の開閉動作に連動させる方式のため、センサの検知部分（リミットスイッチの接触子）をビニールテープなどで固定したり、信号伝達用のリード線を切断するなどして開閉動作を検知できなくする不正行為には対応できない。
そこで、本件特許出願人は、ガラス窓や枠体を実際に開閉動作させたか否かに関わらず、解錠操作に連動して解錠ランプを点灯させる方式の採用により、万一センサ系統が細工されていても、検知不良を防止しようとする試みを本件特許出願と同時に提案した。
【０００３】
【特許文献１】特開２００３−１３５７８６号公報
【発明の開示】
【発明が解決しようとする課題】
【０００４】
解錠操作に連動して解錠ランプを点灯させる方式は、電気信号で動作する電動式の解錠装置にとって実施は容易であるので、今後、電動式解錠装置の普及にも貢献し、その結果、係員を、前のめりで回しにくい不自然な姿勢を維持するつらい解錠作業から解放することにもなる。
よって、センサをガラス窓や枠体の開閉動作に連動させたこれまでの方式を、解錠操作に連動して解錠ランプを点灯させる方式に改めれば、小細工はできないし、解錠操作すれば必ず解錠ランプが点灯するので、開かれたことのチェックは万全かと思われる。
ところが、ギャンブル性が高くなり、取り扱われる金額の単位が大きくなるにつれて、昨今は、遊技機や両替機に目を付けた輩により、強引にこじ開けられるといった乱暴な手口も頻繁に報告されるようになってきているが、そのような行為は、正に前記解錠操作に連動して解錠ランプを点灯させる方式の盲点をつかれたといわざるをえない。
【課題を解決するための手段】
【０００５】
本発明の遊技機は、解錠装置に電動式が採用されていることを前提としており、解錠動作指令が発せられると解錠動作を実行し、その解錠動作が完了後に枠体の開閉状態を検知するセンサの信号を分析して正常に動作しているかの確認を行い、正常であれば解錠ランプを点灯させるか、解錠動作指令を発すると解錠動作とほぼ同時に解錠ランプを点灯し、解錠動作が完了後に枠体の開閉状態を検知するセンサからの信号を分析し、正常に動作しているかの確認を行い、異常があると判断された場合には報知手段を作動させることを特徴とすることにある。
【発明の効果】
【０００６】
解錠装置は電動式であるため、解錠動作指令が発せられればロックは自動的に外されるが、その直前に解錠ランプが点灯するため、解錠ランプの点灯によってひらかれたことは確実に把握することができる。
そしてガラス窓や枠体が不正にこじ開けられた場合には、センサで検知される。
センサが故障したり、動作しないように細工された場合、解錠操作しても解錠ランプが点灯しなかったり報知手段が作動するので早期に発見できる。
【発明を実施するための最良の形態】
【０００７】
本発明に係る遊技機について、その一実施例を図面に基づいて説明する。
図１は遊技機としてのパチンコ機を示したもので、ガラス窓１や枠体２は、基枠３に対して片開き可能に組み付けられていて、ガラス窓１、枠体２、基枠３の相互間には、ガラス窓１や枠体２の開閉動作を検知するセンサ４が設けられ、標準装備されている手動式の解錠装置は外され、その手動式の解錠装置が取り付けられていた部位に、電動式の解錠装置５を組み付けることによって、前記ガラス窓１や枠体２のロックは図示しないリモコンの操作で解除可能となっている。
前記解錠装置５は、標準装備されていた通称シリンダキーと同型で、内蔵モータにより標準装備されていたシリンダキーと同様の解錠動作を保証し、鍵穴に相当する部分には受信部が設けられている。
又、解錠用のリモコンには解錠スイッチが設けられていて、パチンコ機の上部に組み付けられている呼び出しランプユニット６の操作も可能となっており、その呼び出しランプユニット６には、解錠ランプ７が組み込まれている。
【０００８】
リモコンの解錠スイッチが押されると、リモコンからはＩＤを含んだ解錠信号が無線にて送信され、呼び出しランプユニット６に組み込まれている受信部がその解錠信号を受信すると、呼び出しランプユニット６に内蔵されたマイコンは、図２に示すように、Ｓ１にて解錠信号を認識し、次にＳ２でＩＤの照合を実行する。
ＩＤの照合によって正規の解錠信号であると認められると、Ｓ３にて解錠指令が送出され、その解錠指令に従い、Ｓ４にて解錠装置が解錠操作を行い、ロックを解除する。
Ｓ５にてロックの解除が確認されると、Ｓ６でガラス窓１或いは枠体２の開閉状態を検知するセンサ４からの信号を分析し、正常に動作しているかの確認を行い、正常であればＳ７で解錠ランプ７を点灯させ、異常があれば解錠ランプ７は点灯されない。
解錠ランプが点灯されない場合は、センサに何らかの細工がされている可能性があると判断できるので、警備員を共なって調査するなど、適切な処置を講ずることができる。
【０００９】
又、解錠操作をしないでガラス窓１や枠体２を無理矢理こじ開けた場合には、センサ４が検知し、解錠ランプが点灯する。
したがって、ホール内を監視しているカメラで、係員の付き添われていない台の解錠ランプが点灯していることを発見したら、不正の可能性を考慮し、カメラをズームアップさせるなどの対応措置を講ずることができる。
センサ４を細工してガラス窓１や枠体２がこじ開けられた場合、即座に把握することはできないが、前記の如く、解錠操作した時点でチェックされるので、被害の拡大は予防できる。
【００１０】
前記実施例は、解錠動作完了後、即ち、ガラス窓或いは枠体が開いてからセンサの異常をチェックし、異常がなければ解錠ランプを点灯させているが、解錠指令により解錠動作とほぼ同時に解錠ランプを点灯させ、その後にセンサの異常をチェックして異常があれば報知モードに変更することもできる。
【００１１】
次のそのような変更例を説明すると、受信部が解錠信号を受信した後、図３に示すように、解錠動作が実行されるＳ１〜Ｓ７までのステップは前記実施例と同様であるが、本実施例では、Ｓ９にてロックの解除を確認する前に、Ｓ８にて解錠ランプを点灯させる。
Ｓ９にてロックの解除を確認した後、Ｓ１０でガラス窓１或いは枠体２の開閉状態を検知するセンサ４からの信号を分析し、正常に動作しているかの確認を行い、異常があればＳ１１で報知手段を作動させる。
この場合、報知手段として、例えば防犯ランプやブザーを別途取り付ける必要があるが、解錠ランプを消灯させて報知手段に利用することもできる。
【００１２】
リモコンから送出される解錠信号をダイレクトに受信して解錠動作をさせる方式であると、リモコンを隠し持って不正操作をされる虞れがあるので、呼び出しランプユニットに装備されているスイッチとの組み合わせにより、例えばリモコンの解錠スイッチにて呼び出しランプの解錠スイッチをスタンバイ状態にした後、呼び出しランプの解錠スイッチを操作しなければ正規の解錠信号が送信されない安全対策を講ずることが望ましい。
又、受信部や制御機器を呼び出しランプユニット以外、例えば解錠装置に設けることもできる。
【００１３】
本発明の遊技機は、電動式の解錠装置を装備した全ての遊技機に適用させることができ、解錠装置の形態は、モータで爪付きカムを回転させる以外に、例えばロックしている係止爪をワイヤで引っ張り操作したり、モータに変えてソレノイドを採用したり、解錠信号の送出元を、リモコンではなく管理室とするなど、適宜変更可能である。
又、解錠スイッチは構造的に特殊なスイッチを意味するものではなく、リモコンや呼び出しランプなどに割り当てられ、錠信号を送出する機能が具備された汎用スイッチであって、解錠ランプは、呼び出しランプユニットに組み込まれている必要はない。
更にセンサとしては、機械式のリミットスイッチや、非接触式の磁気センサ、光学センサなどが含まれる。
【００１４】
尚、センサの異常をチェックし、センサに異常があれば解錠ランプを点灯させる自己診断を定期的に実行するプログラムを付加すれば、センサへの小細工と枠体のこじ開けとが同時に行われた場合、解錠操作を待たずに不正を早期発見することができるので、被害を最小限に留めるには効果的である。
又その場合は、解錠ランプが点灯しないように細工されることを考慮して、定期的に自己診断を実行し、その結果をリモコンに転送することで、即座に発見しやすいよう万全を期することが望ましい。
更に、本発明の遊技機に採用されている開閉状態のチェック機能は、両替機にも適用できる。
【図面の簡単な説明】
【００１５】
【図１】本発明に係る遊技機の説明図である。
【図２】解錠動作を示したフローチャート説明図である。
【図３】変更実施例の解錠動作を示したフローチャート説明図である
【符号の説明】
【００１６】
１・・ガラス窓、２・・枠体、３・・基枠、４・・センサ、５・・解錠装置、６・・呼び出しランプユニット、７・・解錠ランプ。
【図１】
2006006404.tif 000003
【図２】
2006006404.tif 000004
【図３】
2006006404.tif 000005